【手続補正書】
【提出日】平成21年8月14日(2009.8.14)
【手続補正１】
【補正対象書類名】特許請求の範囲
【補正対象項目名】全文
【補正方法】変更
【補正の内容】
【特許請求の範囲】
【請求項１】
１つまたは複数の選択可能なデータフォルダの近傍に検索および発見ユーザインターフェース要素を配置するステップと、
１つまたは複数のそれぞれの検索基準を受け取るために前記ユーザインターフェース要素内に１つまたは複数の検索基準テキストボックスを配置するステップと、
前記検索および発見ユーザインターフェース要素をインデクシングされたデータフォルダに動作可能に関連付けるステップと、
前記１つまたは複数の検索基準テキストボックス内の１つまたは複数の検索基準の入力を受け取るステップと、
前記インデクシングされたデータフォルダに対する、前記１つまたは複数の検索基準テキストボックスに入力された前記１つまたは複数の検索基準に基づく検索クエリの開始の指示を受け取るステップと、
前記検索クエリに一致する、前記インデクシングされたデータフォルダ内で発見された任意のデータアイテムを、前記ユーザインターフェース要素の下に配置された結果リスト内に表示するステップと
を含むことを特徴とする、ソフトウェアモジュールにおいて拡張された検索および発見機能を提供する方法。
【請求項２】
前記１つまたは複数の検索基準テキストボックスのうちの少なくとも１つに対して選択可能な検索基準のメニューを提供して、前記１つまたは複数の検索基準テキストボックスのうちの前記少なくとも１つに対する予め定めた検索基準の選択を可能にするステップをさらに含むことを特徴とする請求項１に記載の方法。
【請求項３】
前記ユーザインターフェース要素内に配置された前記１つまたは複数の検索基準テキストボックスをカスタマイズするための選択可能な検索基準テキストボックスのメニューを提供するステップをさらに含むことを特徴とする請求項１に記載の方法。
【請求項４】
選択可能な検索基準テキストボックスの前記メニューからの検索基準テキストボックスの選択を受け取り、前記ユーザインターフェース要素内に配置された前記１つまたは複数の検索基準テキストボックスをカスタマイズするために前記ユーザインターフェース要素内に配置された前記１つまたは複数の検索基準テキストボックスのうちの１つを置き換えるステップをさらに含むことを特徴とする請求項３に記載の方法。
【請求項５】
前記検索クエリに一致する、前記インデクシングされたデータフォルダ内で発見された任意のデータアイテムを、前記ユーザインターフェース要素の下に配置された結果リスト内に表示するステップの前に、
前記インデクシングされたデータフォルダに含まれる任意のデータアイテムを返すステップであって、前記任意のデータアイテムは前記検索クエリに応じた情報を含むステップを含むことを特徴とする請求項１に記載の方法。
【請求項６】
前記結果リストがインデクシングされたデータフォルダの検索に応じた１つまたは複数のデータアイテムを含むことを示すために、前記結果リストの端に沿って垂直に細いバーを配置するステップをさらに含むことを特徴とする請求項５に記載の方法。
【請求項７】
前記検索クエリに含まれる情報が前記表示されるデータアイテムのうちのいずれかの表示される部分に存在する場合に、前記表示される部分に存在する、前記検索クエリに含まれる前記情報をハイライト表示することを特徴とする請求項５に記載の方法。
【請求項８】
前記１つまたは複数の検索基準テキストボックスを含む前記ユーザインターフェース要素を検索および発見ペインの下に配置するステップであって、前記検索および発見ペインは、英数字の検索クエリの自由形式の入力を受け取るためのテキストボックスを含むステップをさらに含むことを特徴とする請求項１に記載の方法。
【請求項９】
前記１つまたは複数の検索基準テキストボックスに入力された任意の検索基準から検索クエリを構築するステップと、
前記検索クエリを前記検索および発見ペインに含まれる前記テキストボックスに自動的に入力するステップと
をさらに含むことを特徴とする請求項８に記載の方法。
【請求項１０】
前記インデクシングされたデータフォルダに対する、前記１つまたは複数の検索基準テキストボックスに入力された前記１つまたは複数の検索基準に基づく検索クエリの開始の指示を受け取るステップは、前記検索および発見ペインに含まれる前記テキストボックスに自動的に入力された前記構築された検索クエリに基づく検索クエリの開始の指示を受け取るステップを含むことを特徴とする請求項９に記載の方法。
【請求項１１】
コンピュータに、ソフトウェアモジュールにおいて拡張された検索および発見機能を提供するための方法を実行させるためのプログラムであって、前記方法は、
１つまたは複数の選択可能なデータフォルダの近傍に検索および発見ユーザインターフェース要素を配置するステップと、
１つまたは複数のそれぞれの検索基準を受け取るために前記ユーザインターフェース要素内に１つまたは複数の検索基準テキストボックスを配置するステップと、
前記検索および発見ユーザインターフェース要素をインデクシングされたデータフォルダに動作可能に関連付けるステップと、
前記１つまたは複数の検索基準テキストボックス内の１つまたは複数の検索基準の入力を受け取るステップと、
前記インデクシングされたデータフォルダに対する、前記１つまたは複数の検索基準テキストボックスに入力された前記１つまたは複数の検索基準に基づく検索クエリの開始の指示を受け取るステップと、
前記検索クエリに一致する、前記インデクシングされたデータフォルダ内で発見された任意のデータアイテムを前記ユーザインターフェース要素の下に配置された結果リスト内に表示するステップと、
前記検索クエリに含まれる情報が前記表示されるデータアイテムのうちのいずれかの表示される部分に存在する場合に、前記表示される部分に存在する、前記検索クエリに含まれる前記情報をハイライト表示するステップと
を含むことを特徴とするプログラム。
【請求項１２】
前記方法は、
前記１つまたは複数の検索基準テキストボックスのうちの少なくとも１つに対して選択可能な検索基準のメニューを提供して、前記１つまたは複数の検索基準テキストボックスのうちの前記少なくとも１つに対する予め定められた検索基準の選択を可能にするステップをさらに含むことを特徴とする請求項１１に記載のプログラム。
【請求項１３】
前記方法は、
前記ユーザインターフェース要素内に配置された前記１つまたは複数の検索基準テキストボックスをカスタマイズするための選択可能な検索基準テキストボックスのメニューを提供するステップと、
選択可能な検索基準テキストボックスの前記メニューからの検索基準テキストボックスの選択を受け取り、前記ユーザインターフェース要素内に配置された前記１つまたは複数の検索基準テキストボックスをカスタマイズするために、前記ユーザインターフェース要素内に配置された前記１つまたは複数の検索基準テキストボックスのうちの１つを置き換えるステップと
をさらに含むことを特徴とする請求項１１に記載のプログラム。
【請求項１４】
前記方法は、
前記１つまたは複数の検索基準テキストボックスを含む前記ユーザインターフェース要素を検索および発見ペインの下に配置するステップであって、前記検索および発見ペインは、英数字の検索クエリの自由形式の入力を受け取るためのテキストボックスを含むステップ
をさらに含むことを特徴とする請求項１１に記載のプログラム。
【請求項１５】
前記方法は、
前記１つまたは複数の検索基準テキストボックスに入力された任意の検索基準から検索クエリを構築するステップと、
前記検索クエリを前記検索および発見ペインに含まれる前記テキストボックスに自動的に入力するステップと
をさらに含み、
前記インデクシングされたデータフォルダに対する、前記１つまたは複数の検索基準テキストボックスに入力された前記１つまたは複数の検索基準に基づく検索クエリの開始の指示を受け取るステップは、前記検索および発見ペインに含まれる前記テキストボックスに自動的に入力された前記構築された検索クエリに基づく検索クエリの開始の指示を受け取るステップを含むことを特徴とする請求項１４に記載のプログラム。